(57)【要約】【課題】  作動圧力の調整が容易で信頼性が高い圧力低下表示装置を提供する。【解決手段】  容器１に取付けられ、容器１内のガス圧力の変動にともなって伸縮するベローズ２を設け、このベローズ２の伸縮により表示板１２を回動して容器１のガス圧力低下を表示する圧力低下表示装置において、ベローズ２の伸縮に伴って軸方向に進退する作動軸９と、作動軸９と直交する支持軸１１と、支持軸１１に回動自在に支持された表示板１２と、表示板１２が支持軸１１回りに回転するように付勢するばね１３を備え、作動軸９の先端には爪１４を備え、容器１のガス圧力が正常な状態では、爪１４が表示板１２と係合して表示板１２の回動を拘束し、容器１のガス圧力が低下するとベローズ２が伸長して、作動軸９が後退することにより爪１４と表示板１２の係合が解かれて、表示板１３がばね１３の力で回動する【選択図】図１
2005189079.tif 000002
【特許請求の範囲】
【請求項１】
容器に取付けられ、前記容器内のガス圧力の変動にともなって伸縮するベローズを設け、このベローズの伸縮により表示板を回動して前記容器のガス圧力低下を表示する圧力低下表示装置において、
前記ベローズに取付けられて、前記ベローズの伸縮に伴って軸方向に進退する作動軸と、前記作動軸と直交する支持軸と、前記支持軸に回動自在に支持された表示板と、前記表示板が前記支持軸回りに回転するように付勢するばねを備え、前記作動軸の先端には爪を備え、前記容器のガス圧力が正常な状態では、前記爪が前記表示板と係合して前記表示板の回動を拘束し、前記容器のガス圧力が低下すると前記ベローズが伸長して、前記作動軸が後退することにより前記爪と前記表示板の係合が解かれて、前記表示板が前記ばねの力で回動することを特徴とする圧力低下表示装置。
【請求項２】
前記ベローズはハウジングを介して前記容器に取付けられ、前記ハウジングは前記容器にボルト止めされた押さえ板と前記容器に挟まれて前記容器に固定されるとともに、前記押さえ板は前記支持軸を両持ちで支持することを特徴とする請求項１に記載の圧力低下表示装置。
【発明の詳細な説明】
【技術分野】
【０００１】
本発明は、容器のガス圧力低下を表示する圧力低下表示装置に関するものである。
【背景技術】
【０００２】
ガス開閉器は、ＳＦ６ガス等を封入した容器内に開閉器を収納して、接点開放時に発生するアークを消滅したり、絶縁性能を維持するようにしたものである。しかし、容器内のガス圧力が低下すると、所期の性能が得られなくなるので、ガス圧が所定の値以下に下がった時には、これを検出して機械的に表示する圧力低下表示装置が備えられている（特許文献１、特許文献２）。
図３は、本願の出願人が従来から製造していた圧力低下表示装置の説明図である。図において、１はガス開閉器の容器である。２はベローズであり、容器１の内部のガス圧が高くなると縮み、ガス圧が低下すると伸びるようになっている。ベローズ２はハウジング３を介して容器１の開口部にはめ込まれている。ハウジング３は、容器１にボルト４で固定された押さえ板５と容器１に挟まれて、容器１に固定されている。また、押さえ板５には支持軸６が立設され、支持軸６には表示板７が回動自在に支持されている。８はばねであり、表示板７が所定の方向に回転するように付勢している。また、表示板７は、作動軸９の図示しない爪と係合して、ばね８の力による回転を拘束されている。作動軸９はベローズ２に固定されて、ハウジング３から突出している軸であり、容器１の内部のガス圧が高い状態では、図のようにハウジング３の外側に突出し、前記ガス圧が低下するとベローズ２が縮むのに従って、ハウジング３の内部に後退する。作動軸９が後退すると、作動軸９と表示板７の係合が解かれ、ばね８の力で表示板７が回転して、圧力低下を表示する。
【特許文献１】特開平０４−３６３８２６号公報
【特許文献２】特開平０９−３２０４１０号公報
【発明の開示】
【発明が解決しようとする課題】
【０００３】
しかしながら従来の技術では、表示板の支持軸が押さえ板に立設されているので、ボルトを締め上げて、押さえ板でハウジングを締め付ける時に生じる押さえ板の僅かな歪みが支持軸の姿勢に影響し倒れが生じる。しかも、支持軸が倒れると、支持軸の高さと表示板の大きさが梃子として働くので、表示板は大きく変位し、表示板と作動軸の係合がずれ、その結果、検出感度が変化するという問題があった。また、表示板と作動軸の係合が変化するので、表示板が回転する圧力、つまり圧力低下表示装置が作動する圧力を所定の大きさに調整することが困難であるという問題があった。
本発明はこのような問題点に鑑みてなされたものであり、作動圧力の調整が容易で信頼性が高い圧力低下表示装置を提供することを目的とするものである。
【課題を解決するための手段】
【０００４】
上記の課題を解決するために、本発明は、容器に取付けられ、前記容器内のガス圧力の変動にともなって伸縮するベローズを設け、このベローズの伸縮により表示板を回動して前記容器のガス圧力低下を表示する圧力低下表示装置において、前記ベローズに取付けられて、前記ベローズの伸縮に伴って軸方向に進退する作動軸と、前記作動軸と直交する支持軸と、前記支持軸に回動自在に支持された表示板と、前記表示板が前記支持軸回りに回転するように付勢するばねを備え、
前記作動軸の先端には爪を備え、前記容器のガス圧力が正常な状態では、前記爪が前記表示板と係合して前記表示板の回動を拘束し、前記容器のガス圧力が低下すると前記ベローズが伸長して、前記作動軸が後退することにより前記爪と前記表示板の係合が解かれて、前記表示板が前記ばねの力で回動するように構成するものである。
また、前記ベローズはハウジングを介して前記容器に取付けられ、前記ハウジングは前記容器にボルト止めされた押さえ板と前記容器に挟まれて前記容器に固定されるとともに、前記押さえ板は前記支持軸を両持ちで支持するものである。
【発明の効果】
【０００５】
本発明によれば、押さえ板が歪んでも、表示板と作動軸の係合は大きく変化しないので、圧力低下表示装置の信頼性が向上するとともに、作動圧力の調整を容易にする効果がある。
【発明を実施するための最良の形態】
【０００６】
以下、本発明の具体的実施態様について、図に基づいて説明する。
【実施例】
【０００７】
図１および図２は、本発明の実施例を示す圧力低下表示装置の説明図であり、図１は不作動時、つまりガス圧が正常値にある場合を示し、図２は作動時、つまりガス圧が低下した状態を示し、従来技術と共通する構成要素には同一の符号を付している。図において、１０は、容器１にボルト４で固定され、ハウジング３を締め付けて固定する押さえ板である。押さえ板は、「コ」字型をなし、支持軸１１を両持ちで支持している。支持軸１１は、作動軸９に対して直交（つまり、垂直に配置された作動軸９に対して、支持軸１１は水平）に配置されている。１２は表示板であり、支持軸１１に回転自在に支持されている。１３はばねであり、表示板１２が図１に示す位置から、図２に示す位置に向けて回転するように付勢している。
【０００８】
図１の状態においては、表示板１２は支持軸１１の下にあって、作動軸９の先端の爪１４と係合して、ばね１３の力による回転が拘束されている。容器１の内部のガス圧が低下するとベローズ２が伸び、作動軸９も下に下がり、ハウジング３の内部に後退する。すると、図２に示すように、爪１４と表示板１２の係合が解かれ、表示板１２はばね１３の力で、支持軸１１まわりに１８０°回転し、裏返しになる。つまり、表示板１２が裏返しになることで、容器１の内部のガス圧が低下したことが外部に表示されるわけである。
【０００９】
さて、支持軸１１は「コ」字型の押さえ板１０に両持ちで支持されているから、ボルト４による締め付けで押さえ板１０が歪んだとしても、支持軸１１の高さ方向の位置は大きく変化しない。高さ方向の変位を大きくする梃子として機能する部材がないからである。したがって、押さえ板１０の歪みによって作動軸９の先端の爪１４と係合量は大きくは変化しないので、この圧力低下表示装置が予期しない圧力で動作することはない。また、動作圧力は爪１４の位置あるいは深さを変更すれば変更できるので、動作圧力の調整も容易である。
【産業上の利用可能性】
【００１０】
本発明は、容器のガス圧力低下を表示する圧力低下表示装置として有用である。
【図面の簡単な説明】
【００１１】
【図１】本発明の実施例を示す圧力低下表示装置の説明図であり、不作動状態を示す図である。
【図２】本発明の実施例を示す圧力低下表示装置の説明図であり、作動状態を示す図である。
【図３】従来技術の例を示す圧力低下表示装置の説明図である。
【符号の説明】
【００１２】
１  容器、２  ベローズ、３  ハウジング、４  ボルト、５  押さえ板、６  支持軸、７  表示板、８  ばね、９  作動軸、１０  押さえ板、１１  支持軸、１２  表示板、１３  ばね、１４  爪
【図１】
2005189079.tif 000003
【図２】
2005189079.tif 000004
【図３】
2005189079.tif 000005